(57)【要約】      （修正有）【課題】小型化が図れると共に、原稿の走行方向に対して交差する方向に設けられた長手の透明ガラスが汚れた場合、そのクリーニングが簡単に行なえる。【解決手段】読み取られる原稿が載置される原稿給紙部１と、読み取られた原稿が載置される原稿保管部２と、前記原稿給紙部１および前記原稿保管部２が取り付けられてなる第１のケース体３と、前記原稿給紙部１から前記原稿保管部２に走行させられる原稿の走行経路に対応して設けられた原稿読取装置と、前記原稿読取装置が収納されている第２のケース体６と、前記原稿読取装置に対応して前記第２のケース体６の表面に設けられた前記原稿の走行方向に対して交差する方向に長手の保護用の透明材７とを具備してなる情報読取装置であって、前記第１のケース体３は、該第１のケース体３の一端部側において、前記原稿の走行方向に対して直交する方向に設けられた回動軸を軸芯として回動可能に取り付けられる。【選択図】図３
2008153785.tif 000002
【特許請求の範囲】
【請求項１】
読み取られる原稿が載置される原稿給紙部と、読み取られた原稿が載置される原稿保管部と、前記原稿給紙部および前記原稿保管部が取り付けられてなる第１のケース体と、前記原稿給紙部から前記原稿保管部に走行させられる原稿の走行経路に対応して設けられた原稿読取装置と、前記原稿読取装置が収納されている第２のケース体と、前記原稿読取装置に対応して前記第２のケース体の表面に設けられた前記原稿の走行方向に対して交差する方向に長手の保護用の透明材とを具備してなる情報読取装置であって、
前記第２のケース体の上に載置されるよう設けられた前記第１のケース体は、該第１のケース体の一端部側において、前記原稿の走行方向に対して直交する方向に設けられた回動軸を軸芯として回動可能に取り付けられ、
前記透明材は、前記第１のケース体の他端部側に対応して前記第２のケース体の表面に設けられ、
前記原稿給紙部および前記原稿保管部は、前記第１のケース体の一端部側に上下に重なるよう取り付けられると共に、その基部側に設けられた前記原稿の走行方向に対して直交する方向の回動軸を軸芯として回動可能に取り付けられてなる
ことを特徴とする情報読取装置。
【請求項２】
原稿給紙部の下側に設けられた原稿保管部の回動軸と、第１のケース体の回動軸とが、同一軸で兼用されてなることを特徴とする請求項１の情報読取装置。
【請求項３】
読み取られる原稿が載置される原稿給紙部と、前記原稿給紙部が取り付けられてなる第１のケース体と、読み取られた原稿が載置される原稿保管部と、前記原稿給紙部から前記原稿保管部に走行させられる原稿の走行経路に対応して設けられた原稿読取装置と、前記原稿読取装置が収納されると共に前記原稿保管部が取り付けられてなる第２のケース体と、前記原稿読取装置に対応して前記第２のケース体の表面に設けられた前記原稿の走行方向に対して交差する方向に長手の保護用の透明材とを具備してなる情報読取装置であって、
前記第２のケース体の上に載置されるよう設けられた前記第１のケース体は、該第１のケース体の一端部側において、前記原稿の走行方向に対して直交する方向に設けられた回動軸を軸芯として回動可能に取り付けられ、
前記透明材は、前記第１のケース体の他端部側に対応して前記第２のケース体の表面に設けられ、
前記原稿給紙部および前記原稿保管部は、前記第１のケース体の一端部側において上下に重なるよう取り付けられてなると共に、前記原稿給紙部は、その基部側に設けられた前記原稿の走行方向に対して直交する方向の回動軸を軸芯として回動可能に取り付けられてなる
ことを特徴とする情報読取装置。
【請求項４】
原稿給紙部および原稿保管部は、第１のケース体の非回動時に所定の姿勢が保持されるよう姿勢保持手段を有することを特徴とする請求項１〜請求項３いずれかの情報読取装置。
【発明の詳細な説明】
【技術分野】
【０００１】
本発明は、例えばプリンタ、ＦＡＸ、或いは複写機などにおける情報読取装置に関する。
【背景技術】
【０００２】
例えば、プリンタ、ＦＡＸ、或いは複写機などにおいては、原稿セット台（原稿給紙部）に載せられた原稿は走行手段で走行させられ、そして走行途中に設けられた透明ガラスを介して読取手段で原稿の情報が読み取られ、この読み取られた情報が電話回線で送信されたり、或いは複写されたりしている。このような装置において、原稿セット台は、通常、回動可能なように取り付けられている。その回動方向は、読み取られる原稿の走行方向が向かって左右方向であるとすると、装置の手前側から後側に回動開閉するタイプと、装置の左右の一方の側から他方の側に向かって回動開閉するタイプとが有る。
【０００３】
さて、このような情報読取装置において、読取手段は、通常、原稿走行方向に直行する方向に長手の透明ガラスを備えている。そして、使用につれて前記透明ガラスが汚れると、情報の読取りが正確でなくなることから、クリーニングが行なわれる。このクリーニングに際して、回動方向が装置の手前側から後側（奥側：向側）に回動開閉するタイプの場合には、透明ガラスの奥側に位置する箇所がクリーニングし難い。なぜならば、透明ガラスの奥側の位置では。原稿セット台が透明ガラスから大きく離れておらず、手を奥まで差し込み難いからである。
【０００４】
これに対して、装置の左右の一方の側から他方の側に向かって回動開閉するタイプにあっては、読取手段に対応して設けられている透明ガラスを原稿セット台が大きく離間する一方の側に設けておけば、上記のような問題はなくなる。
【０００５】
このような観点に沿った技術として次のようなものがある。
例えば、装置本体と、その装置本体の上部に、装置本体に対して開閉可能に設けられた開閉部を備え、前記装置本体は、原稿をセットする原稿台と、その原稿台から繰り出される原稿の下面を支持して案内するように配置され、原稿搬送路を形成する下側原稿ガイドと、その下側原稿ガイドから外周面の一部を上方に突出させるように且つ原稿搬送方向の上流側から順に配置された給紙ローラ、送りローラ及び排出ローラと、前記送りローラと排出ローラの間で原稿下面を読み取るように配置された読取手段を有しており、前記開閉部は、それを前記装置本体に対して閉位置とした時に、前記下側原稿ガイドの上方に位置してその下側原稿ガイドと共に原稿搬送路を形成する上側原稿ガイドと、前記給紙ローラに押し付けられるように設けられた分離片と、前記送りローラ及び排出ローラにそれぞれ押し付けられるように設けられた押えローラを有しており、更に、前記開閉部が、前記上側原稿ガイドを前記下側原稿ガイドの上流に上向きに位置させることができるように、前記給紙ローラよりも上流に位置する支点を中心として閉位置より約１２０°以上開くことの可能な構成としたことを特徴とする原稿読取装置が提案（特開平１０−５１５８０号公報）されている。
【０００６】
又、記録媒体に対して画像を記録する記録部と、原稿画像を読み取る原稿読み取り部とを備えた画像記録装置において、前記原稿読み取り部は、その下方に配置され、かつ装置本体に支持された回動軸を中心として前記記録部から離れる方向に回動可能であり、原稿読み取り部をその回動軸を介して回動させたときに、前記記録部の上方が開放されるように構成されていることを特徴とする画像記録装置（特開平１１−２５８８７０号公報）が提案されている。
【特許文献１】特開平１０−５１５８０号公報
【特許文献２】特開平１１−２５８８７０号公報
【発明の開示】
【発明が解決しようとする課題】
【０００７】
しかしながら、上記特許文献１，２のものは、読み取られる原稿が載せられる原稿セット台（原稿給紙部）と読み取られた後の原稿が受け止められる原稿受台（原稿保管部）とは、互いに、両端部に取り付けられている。例えば、原稿セット台（原稿給紙部）が装置の右端側（手前側：前側）に取り付けられていると、原稿受台（原稿保管部）は装置の左端側（向側：後側）に取り付けられている。
従って、装置全体の左右方向の長さがそれだけ長いものとなる。すなわち、小型化が図れ難い。
【０００８】
そこで、小型化を図ろうとすると、原稿セット台（原稿給紙部）と原稿受台（原稿保管部）とが、装置の同一側に取り付けられることが望ましい。すなわち、原稿セット台（原稿給紙部）から原稿受台（原稿保管部）に原稿が走行させられる原稿走行経路が途中で１８０°反転するようにしておくことが好ましい。そして、１８０°反転した後からの走行経路の途中で原稿が読み取られるようにしておけば、装置の小型化が図れる。
【０００９】
しかしながら、原稿セット台（原稿給紙部）と原稿受台（原稿保管部）とを、装置の同一側に取り付けたのみでは、小型化が図れるに過ぎない。
【００１０】
その他にも、この種の装置においては大事な要件が有る。例えば、原稿の走行方向に対して交差する方向に設けられた長手の透明ガラスが汚れた場合、そのクリーニングが簡単に行なえることも大事である。
【００１１】
従って、本発明が解決しようとする課題は、小型化が図れると共に、原稿の走行方向に対して交差する方向に設けられた長手の透明ガラスが汚れた場合、そのクリーニングが簡単に行なえ、かつ、そのクリーニング作業に際しても大きな余裕空間を必要としない情報読取装置を提供することである。
【課題を解決するための手段】
【００１２】
前記の課題は、読み取られる原稿が載置される原稿給紙部と、読み取られた原稿が載置される原稿保管部と、前記原稿給紙部および前記原稿保管部が取り付けられてなる第１のケース体と、前記原稿給紙部から前記原稿保管部に走行させられる原稿の走行経路に対応して設けられた原稿読取装置と、前記原稿読取装置が収納されている第２のケース体と、前記原稿読取装置に対応して前記第２のケース体の表面に設けられた前記原稿の走行方向に対して交差する方向に長手の保護用の透明材とを具備してなる情報読取装置であって、
前記第２のケース体の上に載置されるよう設けられた前記第１のケース体は、該第１のケース体の一端部側において、前記原稿の走行方向に対して直交する方向に設けられた回動軸を軸芯として回動可能に取り付けられ、
前記透明材は、前記第１のケース体の他端部側に対応して前記第２のケース体の表面に設けられ、
前記原稿給紙部および前記原稿保管部は、前記第１のケース体の一端部側に上下に重なるよう取り付けられると共に、その基部側に設けられた前記原稿の走行方向に対して直交する方向の回動軸を軸芯として回動可能に取り付けられてなる
ことを特徴とする情報読取装置によって解決される。
【００１３】
特に、読み取られる原稿が載置される原稿給紙部と、読み取られた原稿が載置される原稿保管部と、前記原稿給紙部および前記原稿保管部が取り付けられてなる第１のケース体と、前記原稿給紙部から前記原稿保管部に走行させられる原稿の走行経路に対応して設けられた原稿読取装置と、前記原稿読取装置が収納されている第２のケース体と、前記原稿読取装置に対応して前記第２のケース体の表面に設けられた前記原稿の走行方向に対して交差する方向に長手の保護用の透明材とを具備してなる情報読取装置であって、
前記第２のケース体の上に載置されるよう設けられた前記第１のケース体は、該第１のケース体の一端部側において、前記原稿の走行方向に対して直交する方向に設けられた回動軸を軸芯として回動可能に取り付けられ、
前記透明材は、前記第１のケース体の他端部側に対応して前記第２のケース体の表面に設けられ、
前記原稿給紙部および前記原稿保管部は、前記原稿給紙部が前記原稿保管部の上側に位置するように前記第１のケース体の一端部側に上下に重なるよう取り付けられてなると共に、その基部側に設けられた前記原稿の走行方向に対して直交する方向の回動軸を軸芯として回動可能に取り付けられてなり、
前記原稿給紙部の下側に設けられた原稿保管部の回動軸と、第１のケース体の回動軸とが、同一軸で兼用されてなる
ことを特徴とする情報読取装置によって解決される。
【００１４】
又、読み取られる原稿が載置される原稿給紙部と、前記原稿給紙部が取り付けられてなる第１のケース体と、読み取られた原稿が載置される原稿保管部と、前記原稿給紙部から前記原稿保管部に走行させられる原稿の走行経路に対応して設けられた原稿読取装置と、前記原稿読取装置が収納されると共に前記原稿保管部が取り付けられてなる第２のケース体と、前記原稿読取装置に対応して前記第２のケース体の表面に設けられた前記原稿の走行方向に対して交差する方向に長手の保護用の透明材とを具備してなる情報読取装置であって、
前記第２のケース体の上に載置されるよう設けられた前記第１のケース体は、該第１のケース体の一端部側において、前記原稿の走行方向に対して直交する方向に設けられた回動軸を軸芯として回動可能に取り付けられ、
前記透明材は、前記第１のケース体の他端部側に対応して前記第２のケース体の表面に設けられ、
前記原稿給紙部および前記原稿保管部は、前記第１のケース体の一端部側において上下に重なるよう取り付けられてなると共に、前記原稿給紙部は、その基部側に設けられた前記原稿の走行方向に対して直交する方向の回動軸を軸芯として回動可能に取り付けられてなる
ことを特徴とする情報読取装置によって解決される。
【００１５】
又、上記の情報読取装置であって、原稿給紙部および原稿保管部は、第１のケース体の非回動時に所定の姿勢が保持されるよう姿勢保持手段を有することを特徴とする情報読取装置によって解決される。
【発明の効果】
【００１６】
本発明は、原稿給紙部および原稿保管部を装置の同一側に設けたから、それだけ寸法（例えば、左右方向の寸法）を短く出来る。すなわち、原稿給紙部および原稿保管部を装置の同一側（例えば、装置の右端側）に設け、原稿給紙部から原稿保管部に原稿が走行する走行経路を途中で１８０°反転させるタイプのものとしたから、左右方向の寸法が短くなり、小型化が図れる。
【００１７】
そして、原稿給紙部および原稿保管部が装置の右端側に取り付けられた場合、原稿の情報を読み取る読取装置に対応して設けられた透明ガラス（透明材）は装置の左端側に設けられるようにしたので、かつ、原稿給紙部が取り付けられている装置は右端側に設けた回動軸を中心にして回動するようにしているから、透明ガラスが汚れた場合、そのクリーニング作業が容易に行なえる。
【００１８】
しかも、その際、原稿給紙部および原稿保管部が取り付けられている装置が支障なく回動できる。
【発明を実施するための最良の形態】
【００１９】
本発明になる情報読取装置は、読み取られる原稿が載置される原稿給紙部（原稿セット台）、及び読み取られた原稿が載置される原稿保管部（原稿受台）を有する。前記原稿給紙部および前記原稿保管部は第１のケース体（上ケース体）に取り付けられたものである。尚、原稿保管部は後述の第２のケース体（下ケース体）に取り付けるようにすることも出来る。又、前記原稿給紙部から前記原稿保管部に走行させられる原稿の走行経路（１８０°反転後の途中の走行経路）に対応して設けられた原稿読取装置を有する。この原稿読取装置は第２のケース体（下ケース体）内に収納されている。従って、この下ケース体の表面には、前記原稿の走行経路（１８０°反転後の途中の走行経路）に対応して、即ち、内蔵されている原稿読取装置に対応して透明材（透明ガラス）が設けられている。勿論、この透明材（透明ガラス）は、原稿の走行方向（１８０°反転後の走行方向）に対して交差する方向に長手である。
【００２０】
前記第１のケース体（上ケース体）は、前記第２のケース体（下ケース体）の一端部側において、原稿の走行方向（１８０°反転後の走行方向）に対して直交する方向に設けられた回動軸を軸芯として回動可能に、かつ、該第２のケース体（下ケース体）の上に載置されるよう設けられている。透明材（透明ガラス）は第２のケース体（下ケース体）の他端部側に設けられている。原稿給紙部（原稿セット台）および原稿保管部（原稿受台）は、第１のケース体（上ケース体）の一端部側に上下に重なるよう取り付けられている。例えば、原稿給紙部（原稿セット台）が原稿保管部（原稿受台）の上側に位置するよう第１のケース体（上ケース体）の一端部側に取り付けられている。更に、原稿給紙部（原稿セット台）および原稿保管部（原稿受台）が、その基部側に設けられた原稿の走行方向に対して直交する方向に設けられた回動軸を軸芯として回動可能なよう取り付けられている。原稿給紙部（原稿セット台）の下側に設けられた原稿保管部（原稿受台）の回動軸は第１のケース体（上ケース体）の回動軸でもある。尚、原稿保管部（原稿受台）が第２のケース体（下ケース体）に設けられた場合には、第２のケース体（下ケース体）は回動するものでは無いから、原稿保管部（原稿受台）も回動式にする必要は無い。原稿保管部（原稿受台）を回動式にする必要があるのは、厭くまでも、回動させる必要が有る第１のケース体（上ケース体）に取り付けた場合である。そして、原稿給紙部（原稿セット台）および原稿保管部（原稿受台）は、第１のケース体（上ケース体）の非回動時に所定の姿勢が保持されるよう姿勢保持手段を有する。
【００２１】
以下、本発明を更に詳しく説明する。
【００２２】
図１〜図３は本発明になる情報読取装置の一実施形態を説明する為のもので、図１は原稿給紙部（原稿セット台）および原稿保管部（原稿受台）が設けられた第１のケース体（上ケース体）側の斜視図、図２は上ケース体側の側壁部を取り除いて回動軸が見える状態の斜視図、図３は読取装置に対応して設けられた透明材（透明ガラス）のクリーニングを行なう為に上ケース体を回動して開いた状態での側面図である。
【００２３】
各図中、１は原稿セット台、２は原稿受台である。この原稿セット台１及び原稿受台２は上ケース体３の一方の側（図１中、右端側）に取り付けられている。勿論、図１，２，３から判る通り、原稿セット台１が上側で、原稿受台２が下側である。従って、原稿セット台１上に積み重ねられた原稿は、所定の走行手段（図示せず）によって、上から、順に、一枚ずつ取り込まれ、上ケース３の中の所定の走行経路を右側から左側に走行せしめられ、そして左端において１８０°反転せしめられ、この後、上ケース体３の下面（後述の下ケース体６の上面：上ケース体３と下ケース体６との間）を通って、原稿受台２に送られるようになっている。
【００２４】
原稿セット台１は、原稿の走行方向に対して直交する方向に設けられた軸４を中心として回動可能に取り付けられている。すなわち、原稿セット台１は、軸４を軸芯として、図１中、反時計方向に回動可能に取り付けられている。勿論、適宜なガイド機構が設けられていて、上ケース体３を、図３の如く、時計方向に回動させて開いた場合でも、又、開いていない場合でも、原稿セット台１の水平方向の姿勢（勿論、多少傾斜した姿勢）が殆ど変わらないように構成されている。すなわち、原稿セット台１の回動軸４は上ケース体３の回動軸では無いので、例えば円弧状の長孔（例えば、上ケース体３側に設けられる。）と該長孔にガイドされるピン（例えば、原稿セット台１側に設けられる。勿論、これは相対的なものであって、互いに、反対側に設けられても良い。）とからなる如きのガイド機構を併設しておくことによって、上ケース体３を、図３の如く、時計方向に回動させて開いた場合でも、原稿セット台１の水平方向の姿勢（勿論、多少傾斜した姿勢）が殆ど変わらないようになっている。
【００２５】
原稿受台２も、原稿の走行方向に対して直交する方向に設けられた軸５を中心として回動可能に取り付けられている。この軸５は、図２，３から判る通り、上ケース体３の回動軸でもある。すなわち、上ケース体３は、軸５によって、下ケース体６に対して回動可能に取り付けられている。つまり、軸５は、上ケース体３と原稿受台２の回動用の軸である。尚、原稿受台２は、図３に示される上ケース体３の回動開時でも、又、図１，２に示される上ケース体３の閉時でも、その姿勢は変わらない為、一見すると、原稿受台２は回動していないようにも思われるが、原稿受台２と上ケース体３との関係は相対的なものであるから、上ケース体３からみると、図３の状態では、原稿受台２が回動していると見做すことが出来る。勿論、下ケース体６の側から見ると、原稿受台２は固定されていると見做すことが出来る。つまり、軸５によって原稿受台２が下ケース体６に対して取り付けられていると考えれば、原稿受台２は固定されていても十分である。更に言い換えるならば、軸５自体は回動するものでは無いから、軸５自体に原稿受台２が固定されているとすれば、原稿受台２自体は固定されているものの、上ケース体３は軸５を中心として回動するから、上ケース体３からみると原稿受台２は回動していると捉えることが出来る。
【００２６】
６は下ケース体である。この下ケース体６には、周知の情報読取手段（図示せず）が内蔵されている。勿論、情報読取手段で読み取られた情報は、各々の目的に沿った処理がなされる。例えば、ファクシミリ装置である場合には、情報読取手段で読み取られた情報が電話回線を介して送信される。複写・印刷の場合には、情報読取手段で読み取られた情報を基にして印字が行なわれる。そして、上記情報読取手段に対応して透明ガラス７が下ケース体６の表面に設けられている。尚、透明ガラス７は、図３中、紙面に垂直方向に沿って長い幅狭な板状のものである。従って、上ケース体３と下ケース体６との間を走行する時に、原稿の情報が、透明ガラス７を介して読み取られる。
【００２７】
上記のように構成させた情報読取装置は、透明ガラス７が汚れた場合、読取作業が正確になされるようにする為、クリーニング作業が行なわれる。すなわち、先ず、図３に示す如く、取手８を持って、上ケース体３を時計方向に回動させる。そうすると、上ケース体３は、図３中、右端側に設けられた軸５を中心として時計方向に回動し、開く。その結果、下ケース体６の左端側の表面に設けられている透明ガラス７が露出する。しかも、この時、透明ガラス７と上ケース体３との間の距離は、透明ガラス７の全域に亘って大きいから、透明ガラス７のクリーニング作業は非常に容易である。
【００２８】
又、上ケース体３の回動開時に、原稿セット台１は、軸４を中心として回動できるようになっているから、下側に設けられている原稿受台２に衝突することが無い。従って、上ケース体３を支障なく回動させて開くことが出来る。
【図面の簡単な説明】
【００２９】
【図１】本発明の情報読取装置の第１のケース体（上ケース体）側の斜視図
【図２】第１のケース体（上ケース体）の側壁部を取り除いた状態の斜視図
【図３】第１のケース体（上ケース体）の回動開時での側面図
【符号の説明】
【００３０】
１        原稿セット台
２        原稿受台
３        上ケース体
４，５    軸
６        下ケース体
７        透明ガラス
特許出願人  ＮＥＣアクセステクニカ株式会社
代  理  人  宇      高          克      己
【図１】
2008153785.tif 000003
【図２】
2008153785.tif 000004
【図３】
2008153785.tif 000005